(57)【要約】【課題】誰もが簡単に操作して好みの音声や音楽などを再生可能でしかも違和感のない墓用音響装置を提供する。【解決手段】収納スペース４にスピーカー５を取り付けるだけの簡単な構造であるから、祭具２や付属品３の内部に形成された小さな収納スペース４でもスピーカー５が設置可能となり、その表面に配置したスピーカー５の入力端子５ａに、持ち運び自在な再生機６の出力端子６ａを接続して再生操作することにより、石碑１又はその周辺の祭具２や付属品３のどれかに内蔵されたスピーカー５から音声や音楽などが流れ、この再生機６の記憶媒体を使用者が交換すれば、再生内容が変更される。【選択図】      図１
2004353324.tif 000002
【特許請求の範囲】
【請求項１】
石碑（１）、この石碑（１）の周囲に配置される祭具（２）及び付属品（３）のどれかの内部に収納スペース（４）を区画形成し、この収納スペース（４）にスピーカー（５）を取り付け、このスピーカー（５）の入力端子（５ａ）を表面に配置させて防水処理を施し、該スピーカー（５）の入力端子（５ａ）には、持ち運び自在で入手容易な記憶媒体が装着された再生機（６）の出力端子（６ａ）を着脱自在に接続したことを特徴とする墓用音響装置。
【請求項２】
前記再生機（６）が録音機能を有する録音再生機である請求項１記載の墓用音響装置。
【請求項３】
既設の石碑（１′）の周囲に配置可能な型式の祭具（２）又は付属品（３）の内部にスピーカー（５）を取り付けた請求項１または２記載の墓用音響装置。
【発明の詳細な説明】
【０００１】
【発明の属する技術分野】
本発明は、例えばお経や遺族の声などの音声や故人が好んだ音楽などを石碑に向けて流すための墓用音響装置に関する。
【０００２】
【従来の技術】
従来、この種の墓用音響装置として、故人に関連した音声情報データが予め記憶されたＲＯＭ又はＩＣカ−ドと、このＲＯＭ又はＩＣカ−ドを装着口から装着してそれに記憶された音声情報を読み込んで音声合成装置に出力するための読込装置と、この音声合成装置で音声合成された音声を出力させるスピーカーと、太陽電池と、充電蓄電池とを音声発生装置のケース内に一体的に備え、この音声発生装置を墓前に配置するか、或いは石碑（墓碑）の内部に組み込んで太陽電池を太陽光線の当たる外部に取り付けることにより、定刻になると石碑に埋葬した霊に対して自動的に故人に関連した音声が流れるようにしたり、また石碑に出向いた時にいつでも外部スイッチを操作するだけで故人に関連した音声が流れるようにしたものがある（例えば、特許文献１参照）。
【０００３】
【特許文献１】
実開平３−４７３５３号公報（第７〜１１頁、第１図〜第３図）
【０００４】
【発明が解決しようとする課題】
しかし乍ら、このような従来の墓石用音響装置では、少なくともスピーカー以外にＲＯＭ又はＩＣカ−ドが装着される読込装置と音声合成装置を一体的に組み込む必要があるため、装置全体の構造が複雑化して製造コストが高価になると共に、装置全体が大型化してしまい、石碑の内部に組み込む場合には、大きな収納スペースが必要になってコストアップとなるという問題がある。
そこで、石碑の周辺に配備される祭具や付属品に収納すれば、墓という特殊環境において違和感がなくて好ましいが、このような祭具や付属品は石碑より遙かに小さくで、大型な音響装置は組み込めず、事実上諦められていた。
また使用者は、予めＲＯＭ又はＩＣカ−ドに記憶された音声や音楽などに代えて、別な音声や音楽などを流したいという要望があり、これを実現するには、ＲＯＭ又はＩＣカ−ドに記録されたデータを書き換えるか、又は使用者の要望に応じた別な音声や音楽などが記憶されたＲＯＭ又はＩＣカ−ドを新たに入手する必要がある。
しかし、ＲＯＭ又はＩＣカ−ドの書き換えは、専門知識のない一般的な使用者では困難であり、使用者の要望する音声や音楽などが一般的に市販されていないものである場合には、専門業者に録音を依頼しなければならず、そのために時間と費用を要し、その結果として、使用者の要望に応じた別な音声や音楽などを流すことは非常に難しかった。
仮に複数種のＲＯＭ又はＩＣカ−ドを入手できたとしても、特に墓参りを行う高齢者にとっては見慣れないＲＯＭ又はＩＣカ−ドを読込装置に装着して再生される操作は、目新しい電気器具の操作に不慣れな高齢者には難しくて操作できないという問題もある。
【０００５】
本発明のうち請求項１記載の発明は、誰もが簡単に操作して好みの音声や音楽などを再生可能でしかも違和感のない墓用音響装置を提供することを目的としたものである。
請求項２記載の発明は、請求項１に記載の発明の目的に加えて、使用者の要望に応じた音声や音楽などを専業者に録音依頼することなく流すことを目的としたものである。
請求項３記載の発明は、請求項１または２に記載の発明の目的に加えて、墓用音響装置が配備されてない既設の墓でも簡単に音声や音楽などを既設の石碑に向けて流すことを目的としたものである。
【０００６】
【課題を解決するための手段】
前述した目的を達成するために、本発明のうち請求項１記載の発明は、石碑、この石碑の周囲に配置される祭具及び付属品のどれかの内部に収納スペースを区画形成し、この収納スペースにスピーカーを取り付け、このスピーカーの入力端子を表面に配置させて防水処理を施し、該スピーカーの入力端子には、持ち運び自在で入手容易な記憶媒体が装着された再生機の出力端子を着脱自在に接続したことを特徴とするものである。
ここで、石碑の周囲に配置される祭具とは、例えば水鉢や香炉や花立てなどであり、石碑の周囲に配置される付属品とは、例えば灯篭や墓誌などである。
また、持ち運び自在で入手容易な記憶媒体が装着された再生機とは、例えばカセットテープ、ＣＤ、ＭＤなどの一般的に入手容易な記憶媒体を再生するためのポータブルオーディオと呼ばれるものである。
請求項２記載の発明は、請求項１記載の発明の構成に、前記再生機が録音機能を有する録音再生機である構成を加えたことを特徴とする。
請求項３記載の発明は、請求項１または２記載の発明の構成に、既設の石碑の周囲に配置可能な型式の祭具又は付属品の内部にスピーカーを取り付けた構成を加えたことを特徴とする。
【０００７】
【作用】
請求項１の発明の作用は、収納スペースにスピーカーを取り付けるだけの簡単な構造であるから、祭具や付属品の内部に形成された小さな収納スペースでもスピーカーが設置可能となり、その表面に配置したスピーカーの入力端子に、持ち運び自在な再生機の出力端子を接続して再生操作することにより、石碑又はその周辺の祭具や付属品のどれかに内蔵されたスピーカーから音声や音楽などが流れ、この再生機の記憶媒体を使用者が交換すれば、再生内容が変更されるものである。
請求項２の発明の作用は、請求項１記載の発明の作用に加えて、再生機として録音機能がある録音再生機を使用者らがスピーカーの入力端子に接続することにより、使用者などが録音した音声や音楽などでもスピーカーから流せる。
請求項３の発明の作用は、請求項１または２記載の発明の作用に加えて、既設の石碑の周囲に配置可能な型式の祭具又は付属品の内部にスピーカーを取り付けることにより、既設の石碑に対して後からスピーカー内蔵の祭具又は付属品を配備しても違和感がない。
【０００８】
【発明の実施の形態】
以下、本発明の実施例を図面に基づいて説明する。
この実施例は、図１（ａ）（ｂ）に示す如く墓用音響装置Ａとして、石碑（墓石）１と、この石碑１の周囲に配置する例えば水鉢や香炉や花立てなどの祭具２が、セットで新規に建立される場合を示すものである。
【０００９】
これら石碑１、祭具２及び付属品３のうちどれか一つの内部には、収納スペース４が区画形成され、この収納スペース４にスピーカー５を取り付け、このスピーカー５の入力端子５ａを表面に配置させて防水処理を施す。
【００１０】
本実施例の場合には、石碑１の手前に祭具２として配置された水鉢又はそれに類似する形状の石製彫刻２ａを中空に形成し、その内部空間を収納スペース４としてスピーカー５が取り付けられ、このスピーカー５の入力端子５ａとして防水処理された例えばコンセントやジャックやソケットなどの差込口を、表面に露出させて配置している。
【００１１】
図示例では、中空な石製彫刻２ａの側面に、スピーカー５から出力される音声や音楽などを通すための通孔２ｂが開穿され、この通孔２ｂの周囲を彫刻して石碑１と違和感がないように装飾することが望ましい。
【００１２】
更に石製彫刻２ａの側面には、例えばコンセントやジャックやソケットなどの差込口５ａとして、一般的に市販されている防水・防滴型のものを用いて、石製彫刻２ａの側面から凹ませた状態で埋設すると共に、その上方には庇２ｃを突設して上記差込口５ａへ雨水が直接入り込まないようにしている。
【００１３】
なお、上述した防水構造に限定されず、図示せぬが例えば差込口５ａの全面を防水扉や防水カバーで開閉自在に覆うなど、水分の浸入によるスピーカー５の入力端子５ａの故障を防止できれば、他の構造でも良い。
【００１４】
なお、スピーカー５も防水・防滴型のものを用いることが好ましく、図１（ａ）に示した石碑１は洋型である場合を示しているが、和型の石碑であっても良い図示せぬが例えば灯篭や墓誌などの付属品をセットで建立しても良い。
【００１５】
また、中空な石製彫刻２ａ内の収納スペース４にスピーカー５を挿入し易くすると共に、その後の保守点検作業を容易にするには、少なくとも背面や上面などのみが開口した中空体２ｄと、この中空体２ｄの開口を閉鎖する蓋体２ｅで構成することが好ましい。
【００１６】
そして、上記スピーカー５の入力端子５ａには、持ち運び自在で入手容易な記憶媒体が装着された再生機６の出力端子６ａを着脱自在に接続して、この再生機６を使用者が再生操作することにより、記憶媒体に記録した音声や音楽などが、これら出力端子６ａ及び入力端子５ａを介してスピーカー５から出力されるようにする。
【００１７】
この持ち運び自在で入手容易な記憶媒体が装着された再生機６とは、例えばカセットテープ、ＣＤ、ＭＤなどの一般的に入手容易な記憶媒体を再生するためのポータブルオーディオと呼ばれるものであり、使用者が目新しい電気器具の操作に不慣れな高齢者である場合には、日頃使い慣れている例えばカセットテープ式再生機やラジオカセットであることが好ましい。
【００１８】
図示例では、再生機６としてカセットテープ式再生機を用い、それに接続したコード６ｂの先端に形成された例えばプラグなどの出力端子６ａを、例えばコンセントやジャックやソケットなどの差込口５ａに接続している。
【００１９】
また、上記再生機６は、再生専用機でなく録音機能を有する録音再生機であっても良い。
【００２０】
次に、斯かる墓用音響装置の作用について説明する。
先ず、収納スペース４にスピーカー５を取り付けるだけの簡単な構造であるから、石碑１の周囲に配置される祭具２や付属品３の内部に形成された小さな収納スペース４でもスピーカー５が設置可能である。
【００２１】
更に防水処理されたスピーカー５の入力端子５ａに、持ち運び自在な再生機６の出力端子６ａを接続して、使用者らが再生操作をすれば、石碑１又はその周辺の祭具２や付属品３のどれかの内部に配置したスピーカー５から音声や音楽などが流れる。
【００２２】
しかも再生機６に装着された例えばカセットテープ、ＣＤ、ＭＤなどの一般的に入手容易な記憶媒体を使用者らが交換すれば、再生内容が変更される。
【００２３】
その結果、誰もが簡単に操作して好みの音声や音楽などを再生可能でしかも違和感のない墓用音響装置を提供できる。
【００２４】
更に、上記再生機６として録音機能がある録音再生機を、使用者らがスピーカー５の入力端子５ａに接続した場合には、使用者などが録音した音声や音楽などでもスピーカー５から流せる。
【００２５】
その結果、使用者の要望に応じた音声や音楽などを専門業者に録音依頼することなく流せるという利点がある。
【００２６】
一方、図２に示すものは、本発明の他の実施例である。
このものは墓用音響装置Ａとして、既設の石碑１′の周囲に配置可能な型式の祭具２又は付属品３の内部にスピーカー５を取り付けた構成が、前記図１（ａ）（ｂ）に示した実施例とは異なり、それ以外の構成は図１（ａ）（ｂ）に示した実施例と同じものである。
【００２７】
図示例の場合には、既設の石碑１′が和型であり、その周囲に配置可能な型式の付属品３として灯篭３ａ内にスピーカー５を取り付けた例を示し、この灯篭３ａの火袋３ｂの内部空間を収納スペース４としてスピーカー５を取り付け、図１（ａ）（ｂ）に示した実施例と同様に、このスピーカー５の入力端子５ａを表面に配置させて防水処理を施し、該スピーカー５の入力端子５ａには、持ち運び自在で入手容易な記憶媒体が装着された再生機６の出力端子６ａを着脱自在に接続している。
【００２８】
なお、図示例では、灯篭３ａの火袋３ｂ内にスピーカー５を取り付けたが、これに限定されず、例えば水鉢や香炉や花立てなどの祭具２の内部にスピーカー５を取り付けたり、付属品３として灯篭以外の例えば墓誌などの内部にスピーカー５を取り付けても良い。
【００２９】
従って、図２に示すものは、既設の石碑１′に対して後からスピーカー５内蔵の祭具２又は付属品３を配備しても違和感がない。
その結果、墓用音響装置Ａが配備されてない既設の墓１′でも簡単に音声や音楽などを既設の石碑１′に向けて流せるという利点がある。
【００３０】
尚、前示実施例では、祭具２又は付属品３の内部に収納スペース４を区画形成してスピーカー５を取り付けが、これに限定されず、図示せぬが石碑１の内部に収納スペース４を区画形成してスピーカー５を取り付けても良い。
更に、スピーカー５の音量を増大する必要がある場合や、再生機６の駆動電源が必要となる場合には、図示せぬが太陽電池を目立たぬように配備して、それにより得た電気エネルギーをスピーカー５や再生機６に供給するようにしても良い。
【００３１】
【発明の効果】
以上説明したように、本発明のうち請求項１記載の発明は、収納スペースにスピーカーを取り付けるだけの簡単な構造であるから、祭具や付属品の内部に形成された小さな収納スペースでもスピーカーが設置可能となり、その表面に配置したスピーカーの入力端子に、持ち運び自在な再生機の出力端子を接続して再生操作することにより、石碑又はその周辺の祭具や付属品のどれかに内蔵されたスピーカーから音声や音楽などが流れ、この再生機の記憶媒体を使用者が交換すれば、再生内容が変更されるので、誰もが簡単に操作して好みの音声や音楽などを再生可能でしかも違和感のない墓用音響装置を提供することができる。
従って、少なくともスピーカー以外にＲＯＭ又はＩＣカ−ドが装着される読込装置と音声合成装置を一体的に組み込む必要がある従来のものに比べ、低コストで組み込みができると共に、たとえ目新しい電気器具の操作に不慣れな高齢者であっても、日頃使い慣れている例えばカセットテープ再生機やラジオカセットなどが接続できるから、好みに応じた音声や音楽などを流せて便利である。
【００３２】
請求項２の発明は、請求項１の発明の効果に加えて、再生機として録音機能がある録音再生機を使用者らがスピーカーの入力端子に接続することにより、使用者などが録音した音声や音楽などでもスピーカーから流せるので、使用者の要望に応じた音声や音楽などを専業者に録音依頼することなく流すことができる。
【００３３】
請求項３の発明は、請求項１または２の発明の効果に加えて、既設の石碑の周囲に配置可能な型式の祭具又は付属品の内部にスピーカーを取り付けることにより、既設の石碑に対して後からスピーカー内蔵の祭具又は付属品を配備しても違和感がないので、墓用音響装置が配備されてない既設の墓でも簡単に音声や音楽などを既設の石碑に向けて流すことできる。
【図面の簡単な説明】
【図１】本発明の一実施例を示す墓石用音響装置の斜視図であり、（ａ）が装置全体を示し、（ｂ）が要部を拡大してスピーカーを透視できるように示したものである。
【図２】本発明の他の実施例を示す墓石用音響装置の斜視図である。
【符号の説明】
１  石碑                          １′  既設の石碑
２  祭具                          ３  付属品
４  収納スペース                  ５  スピーカー
５ａ  入力端子                    ６  再生機
６ａ  出力端子
【図１】
2004353324.tif 000003
【図２】
2004353324.tif 000004